(57)【要約】      （修正有）【課題】色彩心理上の感情的な管理機能を有する補助照明器具を提供する。【解決手段】補助照明器具には、一つの貯蔵モジュール１と、一つの発光モジュール２と、一つの入力モジュール３と、一つの制御モジュール４と、を具備し、貯蔵モジュールに複数セットのモデルデータと複数セットの参照データが貯蔵され、発光モジュールに複数の第一発光構成部品２１を持ち、入力モジュール３に少なくとも一つの入力信号が発生される入力パネルを有し、制御モジュール４が入力モジュール及び貯蔵モジュールに接続され且つ制御モジュールに複数の第一発光構成部品が制御される一つの調光ユニット４１と、参照データの中からワンセットデータが読み取れ、当セットのデータに基づきモデルデータの中からワンセットデータを選択することにより調光ユニットが制御される一つの制御ユニット４３と、が設けられるようにした補助照明器具。【選択図】図５
0003184838.tif 000002
【実用新案登録請求の範囲】
【請求項１】
補助照明器具には、複数セットのモデルデータと複数セットの参照データが貯蔵される一つの貯蔵モジュールと、複数の第一発光構成部品を持つ一つの発光モジュールと、少なくとも一つの入力信号が発生される入力パネルを有する一つの入力モジュールと、前記入力モジュール及び貯蔵モジュールに接続される一つの制御モジュールと、を具備して、且つ前記制御モジュールには、複数の前記第一発光構成部品が制御される一つの調光ユニットと、参照データの中からワンセットデータが読み取られ、また前記セットのデータに基づいてモデルデータの中からワンセットデータを選択することによって前記調光ユニットが制御される一つの制御ユニットと、が設けられるようにしたことを特徴とする補助照明器具。
【請求項２】
前記発光モジュールに一つの電気回路基板を有し、前記第一発光構成部品が皆前記電気回路基板に連結して取り付けられて且つ電気的に前記電気回路基板と接続されるようにしたことを特徴とする請求項１に記載の補助照明器具。
【請求項３】
前記第一発光構成部品には、前記電気回路基板に連結して取り付けられて且つ電気的に電気回路基板と接続される一つの子基板と、前記子基板に連結して取り付けられて且つ電気的に前記子基板と接続される一つの赤色発光ダイオードと、前記子基板に連結して取り付けられて且つ電気的に前記子基板と接続される一つの緑色発光ダイオードと、前記子基板に連結して取り付けられて且つ電気的に前記子基板と接続される一つの青色発光ダイオードと、前記子基板に取り付けられて且つ前記赤色発光ダイオード及び前記緑色発光ダイオード及び前記青色発光ダイオードを覆う一つの透明コロイドと、を具備するようにしたことを特徴とする請求項２に記載の補助照明器具。
【請求項４】
一つの電源変換モジュールも有し、前記電源変換モジュールが前記調光ユニットに接続されて、前記電源変換モジュールが交流電圧を直流電圧に変換することによって固定直流電圧を提供する一つのコンバータに設けられるようにしたことを特徴とする請求項３に記載の補助照明器具。
【請求項５】
第二発光構成部品を有する一つの照明モジュールと、前記制御ユニットに制御され且つ前記照明モジュールに接続される一つのスイッチングモジュールと、を具備するようにしたことを特徴とする請求項１に記載の補助照明器具。
【請求項６】
前記制御モジュールが無線的に制御される無線制御装置も具備して、前記無線制御装置には、入力信号が発生される一つの無線入力モジュールと、前記入力信号が受信されて且つ通信信号に変換される一つの無線制御モジュールと、無線通信プロトコルを利用して前記通信信号が送信される一つの無線伝送モジュールと、を有するようにしたことを特徴とする請求項１に記載の補助照明器具。
【請求項７】
無線受信モジュールも具備して、前記無線受信モジュールが前記制御モジュールと接続されて且つ前記無線通信プロトコルを利用することによって前記通信信号が受信されるようにしたことを特徴とする請求項６に記載の照明器具の構造。
【考案の詳細な説明】
【技術分野】
【０００１】
本考案は補助照明器具に関する。
【背景技術】
【０００２】
色彩心理学者の中には、さまざまな色で人々に空間感覚、時間の感覚を与え、感情に多大な影響を及ぼすことを発見した。例えば、緑色は快適な色であり、目と筋肉の疲労を和らげて、且つ心理の上から生じる安全感を人にリラックスさせることで、集中力を高め、仕事の能率を高めるなどの役に立つ。
【０００３】
しかしながら、従来の照明はほとんど照明用にのみ使用され、電球やランプの照明装置は、白色の光と黄色の光のみに使用される。例えば、白色の光は人々に明るい気持ちや冷たい感じを与え、黄色の光は人々に暖かい感じを与える。さらに、伝統的な照明光源は多様性の色を欠如するので、感情管理の追加機能を不足している。そのために、どのようにハードウェアデバイスと制御方法の設計を改善するか、照明の追加機能を強化するか、すでにその事業者に対して解決しようとする重要な課題になっている。
【考案の概要】
【考案が解決しようとする課題】
【０００４】
本考案は補助照明器具を提供して、その背景技術に存在している不足を克服する。その課題を解決するための手段は以下である。
【課題を解決するための手段】
【０００５】
補助照明器具には、複数セットのモデルデータと複数セットの参照データが貯蔵される一つの貯蔵モジュールと、複数の第一発光構成部品を持つ一つの発光モジュールと、少なくとも一つの入力信号を発生する入力パネルを有する一つの入力モジュールと、前記入力モジュール及び貯蔵モジュールに接続される一つの制御モジュールと、を具備して、また、前記制御モジュールには、複数の前記第一発光構成部品が制御される一つの調光ユニットと、参照データの中からワンセットが読み取れて且つ当セットのデータに基づいてモデルデータの中からワンセットを選択することによって前記調光ユニットが制御される一つの制御ユニットと、が設けられるようにした補助照明器具。
【０００６】
好ましい一実施形態では、前記発光モジュールに一つの電気回路基板も有し、前記第一発光構成部品が皆当電気回路基板に連結して取り付けられて且つ電気的に前記電気回路基板と接続される。
【０００７】
好ましい一実施形態では、前記第一発光構成部品には、前記電気回路基板に連結して取り付けられて且つ電気的に電気回路基板と接続される一つの子基板と、前記子基板に連結して取り付けられて且つ電気的に前記子基板と接続される一つの赤色発光ダイオードと、当子基板に連結して取り付けられて且つ電気的に当子基板と接続される一つの緑色発光ダイオードと、当子基板に連結して取り付けられて且つ電気的に当子基板と接続される一つの青色発光ダイオードと、当子基板に取り付けられて且つ前記赤色発光ダイオード及び前記緑色発光ダイオード及び前記青色発光ダイオードを覆う一つの透明コロイドと、を具備する。
【０００８】
好ましい一実施形態では、一つの電源変換モジュールも有し、当電源変換モジュールが前記調光ユニットに接続されて、当電源変換モジュールが交流電圧を直流電圧に変換することによって固定直流電圧を提供する一つのコンバータに設けられる。
【０００９】
好ましい一実施形態では、第二発光構成部品を有する一つの照明モジュールと、前記制御ユニットに制御させて且つ前記照明モジュールに接続される一つのスイッチングモジュールと、も具備する。
【００１０】
好ましい一実施形態では、当制御モジュールが無線的に制御される無線制御装置も具備して、前記無線制御装置には、入力信号が発生される一つの無線入力モジュールと、当入力信号が受信されて且つ通信信号に変換される一つの無線制御モジュールと、無線通信プロトコルを利用して当通信信号が送信される一つの無線伝送モジュールと、を有する。
【００１１】
好ましい一実施形態では、無線受信モジュールも具備して、当無線受信モジュールが前記制御モジュールと接続されて且つ前記無線通信プロトコルを利用することによって当通信信号が受信される。
【考案の効果】
【００１２】
本考案は背景技術と比べて次の優れた点を持っている。
【００１３】
第一、入力モジュールから発生される入力信号を制御ユニットへ受信して、制御ユニットに貯蔵モジュールの中からワンセットの参照データを読み取らせ、且つ当セットのデータに基づいて貯蔵モジュールの中からワンセットのモデルデータが選択されることによって調光ユニットが制御されてさらに複数の第一発光構成部品が制御されるので、前記補助照明器具に感情管理を提供する機能を持たせる。
【００１４】
第二、第一発光構成部品に赤や緑や青などの三種類色のダイオードを有して、三種類の光が混合されて複数の色の光が発生されて、ユーザの選択性が高い。
【００１５】
第三、当照明器具に第二発光構成部品の照明モジュールとスイッチングモジュールが設けられることによって、ユーザに対していつでも第二発光構成部品が用いられるため、使いやすい。
【００１６】
第四、無線制御モジュールと無線入力モジュールとの配合によってワイヤレスリモコンに実現されるため、ユーザに対して便利である。
【図面の簡単な説明】
【００１７】
【図１】本考案の一つの好ましい実施形態の補助照明器具の電気回路原理を示す図である。
【図２】本考案の一つの好ましい実施形態の補助照明器具の全体状態を示す図である。
【図３】本考案の一つの好ましい実施形態の補助照明器具の発光モジュールを見下ろす状態を示す図である。
【図４】本考案の一つの好ましい実施形態の補助照明器具の第一発光構成部品の断面状態を示す図である。
【図５】本考案のもう一つの好ましい実施形態の補助照明器具の電気回路原理を示す図である。
【図６】本考案のもう一つの好ましい実施形態の補助照明器具の全体状態を示す図である。
【考案を実施するための形態】
【００１８】
以下、図を見ながら、本考案の具体的な実施形態を説明する。
【００１９】
図１を参照されたい。本考案の好ましい一実施形態では、前記補助照明器具には、一つの貯蔵モジュール１と、一つの発光モジュール２と、一つの入力モジュール３と、一つの制御モジュール４と、を具備する。
【００２０】
図２を参照されたい。前記補助照明器具には、一つのランプソケット１１と、前記ランプソケット１１の上に連結して取り付ける一つのランプシェル１２と、一つの入力パネル３１と、一つの第二発光モジュール７と、一つの第一発光モジュール２と、を具備して、前記ランプソケット１１に一つのスイッチボタン８が設けられて、前記入力パネル３１が前記ランプソケット１１に接続されて、前記第二発光モジュール７と第一発光モジュール２が皆前記ランプシェル１２に連結して取り付けられる。好ましくは、当照明器具には前記ランプシェル１２に連結して取り付けられる一つの拡散かさ１３と、前記拡散かさ１３の後ろに位置する一つのランプかさ１４と、を具備し、前記の拡散かさ１３とランプかさ１４が皆前記第一発光モジュール２と第二発光モジュール７の後ろに位置される。また、図１で述べたように各機能のモジュールが皆にランプシェル１２の内に組み立てられる。
【００２１】
前記貯蔵モジュール１に複数セットのモデルデータと複数セットの参照データが貯蔵される。使用者の照明環境に対す需要に基づいて、先に複数セットのモデルデータが貯蔵モジュール１に貯蔵される。例えば、使用者は入力パネル３１によって今の時刻または日付を入力して、且つ今の時刻または日付を参照データとして貯蔵モジュール１の中に貯蔵される。しかし、これに限定されず、例えば参照データもまた都市や国家などの他の情報とすることができる。前記貯蔵モジュール１はデータを保存する装置として、内蔵メモリ或いは外付けメモリカードなどの外付けの記憶装置に設けられる。
【００２２】
前記発光モジュール２に複数の第一発光構成部品２１を有する。本考案の実施形態で、発光モジュール２にまた一つの電気回路基板２３も設けられ、複数の前記第一発光構成部品２１が皆に当電気回路基板２３に連結して取り付けられて且つ電気的に電気回路基板２３と接続される。前記第一発光構成部品２１について赤色発光ダイオードや緑色発光ダイオードや青色発光ダイオードなどの三種類の違う色を選択して使える。制御モジュール４は調光ユニット４１によって赤色及び緑色及び青色などの光源の輝度比が調整されるため、違う色の光源が発生する。
【００２３】
図３と図４を参照されたい。本考案の実施形態で、前記第一発光構成部品２１には、前記電気回路基板２３に連結して取り付けられて且つ電気的に当電気回路基板２３と接続される一つの子基板２１１と、前記子基板２１１に連結して取り付けられて且つ電気的に前記子基板２１１と接続される一つの赤色発光ダイオード２１２と、当子基板２１１に連結して取り付けられて且つ電気的に当子基板２１１と接続される一つの緑色発光ダイオード２１３と、当子基板２１１に連結して取り付けられて且つ電気的に当子基板２１１と接続される一つの青色発光ダイオード２１４と、当子基板２１１に取り付けられて且つ前記赤色発光ダイオード２１２及び前記緑色発光ダイオード２１３及び前記青色発光ダイオード２１４を覆う一つの透明コロイド２１５と、を具備する。又は需要によって、前記赤色発光ダイオード２１２及び前記緑色発光ダイオード２１３及び前記青色発光ダイオード２１４が別々に違う電気回路基板２３に連結して取り付けられて且つ電気的に電気回路基板２３と接続される。又は必要であれば、前記赤色発光ダイオード２１２及び前記緑色発光ダイオード２１３及び前記青色発光ダイオード２１４が直接電気回路基板２３に連結して取り付けられて且つ電気的に電気回路基板２３と接続される。
【００２４】
前記入力モジュール３は前記照明器具の操作入力インターフェースとして少なくとも一つの入力信号を発生して且つ入力信号を制御モジュール４に送信する入力パネル３１を有する。例えば、入力パネル３１は異なる入力信号を生成するために、複数のキーを有する装置が使えて、また一本のワイヤーを利用して入力モジュール３に電気的に接続されるが、これに限定しない。例えば、入力パネル３１がタッチパネルを持つ装置にも設けられる。
【００２５】
前記制御モジュール４が前記入力モジュール３と貯蔵モジュール１に接続されて、且つ当制御モジュール４に複数の前記第一発光構成部品２１を制御する調光ユニット４１と、その中からワンセットの参照データが読み取られ、且つ当セットのデータに基づいてその中からワンセットのモデルデータが選択されることによって当調光ユニット４１が制御される制御ユニット４３と、を有する。制御モジュール４は、照明器具に付属の予期機能を実現するために、プログラムメモリに記憶されたファームウェアで運営ロジックを定義する。
【００２６】
そして、制御ユニット４３は補助照明器具のロジック制御のコアとして、例えばマイクロコントローラまたはマイクロプロセッサまたはシグナルプロセッサで関連の週辺電気回路と共に構成される。本考案の実施形態で、制御ユニット４３は参照データによって、貯蔵モジュールに貯蔵される複数セットのモデルデータの中からワンセットのモデルデータを選択して調光ユニット４１が制御される。
【００２７】
例えば、補助照明器具を制御する第一セットのモードデータに対す操作モードが自動モードに設けられる。第一セットのモードデータは参照データによって補助照明器具の開きを制御して一つの特定の色を表示する或いは閉じる（表示なし）。前記特定の色は先に貯蔵される様々な色から、例えば赤色やオレンジや黄色などの暖色系の色合い或いは緑色や青色や紫色などの寒色系の色合いからその中のいずれかを選ぶ。そして、第一セットのモードデータは参照データによって前記第一発光構成部品２１の速度又は輝度も調整されるために、更に補助照明の効果を強化するか、弱めるかを達成することができる。
【００２８】
本考案の実施形態で、前記参照データが時間に設けられる。例えば、朝の６時から８時までの間に、補助照明の色合いが赤色に設定されるために、人々に血圧を上げて緊張な感覚を高めさせるのでリフレッシュ効果を達成する。また例えば、人々に血圧を下げて緊張な感覚を除去させるように、夜の１０時から１２時までの間に、補助照明の色合いが青色に設定され、睡眠を促進する効果を達成する。言い換えれば、本考案に提供する補助照明器具は感情的な管理機能を実現するために、一日の時間に応じて自動的に補助照明の色合いを調整することができる。
【００２９】
或いは、前記参照データが日付に設けられる。例えば、春の季節に、補助照明の色合いが緑色に設定されるために、人々の心に安定な、静かな、穏やかな感覚を与えるので、人々に安定を感じさせる役割を達成する。また例えば、夏の季節に、補助照明の色合いが青色に設定されるために、人々の心に静かな、涼しい感覚を与えるので、人々の心が明るい役割を達成する。言い換えれば、本考案に提供する補助照明器具は感情的な管理機能を実現するために、一年の異なる季節に応じて自動的に補助照明の色合いを調整することができる。
【００３０】
補助照明器具を制御する第二セットのモードデータに対する操作モードが手動モードに設けられる。詳しく言えば、第二セットのモードデータは前記第一発光構成部品２１の彩度と同じように、例えば赤色やオレンジや黄色などの暖色系の色合い或いは緑色や青色や紫色などのクールカラーの色合いが貯蔵される。そのほか、第二セットのモードデータは前記第一発光構成部品２１の速度又は輝度も調整されるために、更に補助照明の効果を強化するか、弱めるかを達成することができる。例えば、明から暗までの二十段で同時に前記第一発光部品２１の輝度が調整される。言い換えれば、前記第一発光部品２１の発光ダイオード（赤発光ダイオード２１２や緑発光ダイオード２１３や青発光ダイオード２１４）の輝度は二十段階の調整ができるため、８０００種の異なる彩度が発生される。
【００３１】
そして、速い速度から遅い速度まで八段の速度を有するため、同時に補助照明の第一発光構成部品２１の速度が調整される。例えば、前記第一発光構成部品２１はしばらくの時間で着色される光を発生してから消して、それからまた前記第一発光構成部品２１もしばらくの時間で着色される光を発生してから消して、そのサイクルを繰り返すように循環される。ちなみに言って、上記のしばらくの時間の長さを調整することによって、前記第一発光構成部品２１のスピードが決定される。言い換えれば、本考案に提供する補助照明器具は感情的な管理機能に達成するために、使用者の需要によって、手動で補助照明の色合いが調整される。
【００３２】
そのほか、前記補助照明器具には、また一つの電源変換モジュール５と、スイッチモングジュール８と、一つの照明モジュール７と、も具備する。電源変換モジュール５が前記調光ユニット４１に接続される。好ましくは、電源変換モジュール５は、交流電圧を直流電圧に変換する固定の直流電圧を提供する一つの変換器に設けられる。また、前記照明モジュール７がスイッチングモジュール８に接続されて、且つ当スイッチングモジュール８が制御ユニット４３に制御され、そのなか、当照明モジュール７に一つの第二発光構成部品７１を有する。言い換えれば、使用者はスイッチングモジュール８で照明モジュール７の第二発光構成部品７１をオンまたはオフにすることができる。
【００３３】
次に、図５および図６を参照すると、補助照明器具の別の好ましい実施形態である。
【００３４】
本実施形態は前記実施形態と比べると、相違点としては、補助照明器具には、当制御モジュール４が無線的に制御される一つの無線制御装置６と、無線受信モジュール９と、も具備する。本実施形態の中で、前記無線制御装置６には、入力信号が発生される一つの無線入力モジュール６１と、当入力信号が受信されて且つ通信信号に変換される一つの無線制御モジュール６２と、無線通信プロトコルを利用して当通信信号が送信される一つの無線伝送モジュール６３と、を有する。また、無線受信モジュール９が当制御モジュール４に接続されて、且つ無線通信プロトコルを利用して通信信号が受信される。
【００３５】
すなわち、使用者は、無線制御装置６によって貯蔵モジュール１の中からワンセットのモデルデータを選択して調光ユニット４１が制御されて、更に発光モジュール２が制御される。
【００３６】
本実施形態の中では、無線制御装置６は前記補助照明器具の制御モジュール４を制御するために用いる。無線入力モジュール６１に入力パネル６１０を有し、一つの入力信号を発生して無線制御モジュール６２に送信するために用いる。例えば、入力パネル６１０は、異なる入力信号を生成するために、複数のキーを設置する装置が使えて、或いはタッチ入力装置が使える。しかし、これらに限定されない。
【００３７】
無線制御モジュール６２は受信した入力信号を一つの通信信号に変換するために用いられる。そして、無線送信部６３は一つの無線通信プロトコルを利用して前記通信信号を補助照明器具の無線受信モジュール９に送信する。例えば、無線通信プロトコルとして、赤外線（ｉｎｆｒａｒｅｄ）の無線通信プロトコルまたはブルートゥース（ｂｌｕｅｔｏｏｔｈ）の通信プロトコルまたは無線ネットワークの通信プロトコル（ＩＥＥＥ  ８０２．１１）またはジグビー（Ｚｉｇｂｅｅ）の通信プロトコルなどの無線通信プロトコルに設けられるが、本考案はこれに限定されるものではない。
【００３８】
以上を要約すると、本考案で提供する補助照明器具には、「複数の発光構成部品」及び「前記参照データ中からワンセットが読み取れて、且つ当セットのデータに基づいてモテルモジュール中からワンセットが選択されることによって当調光ユニットの制御ユニットが制御される」という設計によって、感情的な管理を提供する機能を持つ。
【００３９】
以上で述べたのはわずか本考案の一つのよい実施の形態だけである。しかし、本考案のデザインアイディアはこれに限定されるものではなく、すなわち、本考案のアイディアに基づいて変形させることが可能であり、それらは本考案の範囲から排除するものではない。
【符号の説明】
【００４０】
１  貯蔵モジュール
１１  ランプソケット
１２  ランプシェル
１３  拡散かさ
１４  ランプかさ
２  発光モジュール
２１  第一発光構成部品
２１１  子基板
２１２  赤色発光ダイオード
２１３  緑色発光ダイオード
２１４  青色発光ダイオード
２１５  透明コロイド
２３  電気回路基板
３  入力モジュール
３１  入力パネル
４  制御モジュール
４１  調光ユニット
４３  制御ユニット
５  電源変換モジュール
６  無線制御装置
６１  無線入力モジュール
６２  無線制御モジュール
６３  無線伝送モジュール
７  第二発光モジュール
７１  第二発光構成部品
８  スイッチングモジュール
９  無線受信モジュール
【図１】
0003184838.tif 000003
【図２】
0003184838.tif 000004
【図３】
0003184838.tif 000005
【図４】
0003184838.tif 000006
【図５】
0003184838.tif 000007
【図６】
0003184838.tif 000008